(57)【特許請求の範囲】
【請求項１】
ケース本体１の一端にモーター動力を受けて作動する作動ヘッド３が設けられており、作動ヘッド３の外面を覆うキャップ７がケース本体１の装着部１７に対して着脱自在に装着してある電気機器であって、
キャップ７が、作動ヘッド３の外面全体を覆う内キャップ７Ａと、内キャップ７Ａの外面を覆う外キャップ７Ｂとで２重筒状に構成してあり、
内キャップ７Ａと外キャップ７Ｂとのそれぞれが、一端のみが開口された上下に長いキャップ体からなり、
内キャップ７Ａと外キャップ７Ｂとは、上端の上嵌合部と下端の下嵌合部のみで互いに嵌係合されて、両嵌合部の間の周面が隙間３５を介して対向していることを特徴とする電気機器。
【請求項２】
内キャップ７Ａの内面と装着部１７との嵌合面に、互いに嵌係合してキャップの抜け外れを防ぐ係合構造が設けてある請求項１記載の電気機器。
【請求項３】
下嵌合部が、内キャップ７Ａの開口外面に周回状に膨出したフランジ壁２５と、フランジ壁２５に外嵌する外キャップ７Ｂの開口内面壁３４とで構成されており、
フランジ壁２５に臨む外キャップ７Ｂの外周面に、開口内面壁３４用の補強リブ３３が膨出形成してある請求項１または２記載の電気機器。
【請求項４】
上嵌合部が、内キャップ７Ａと外キャップ７Ｂとのいずれか一方に突設された突起３２と、他方に設けられた突起穴２８とで構成されており、
突起３２と突起穴２８とが、外キャップ７Ｂの内奥端において嵌係合している請求項１、２または３記載の電気機器。
【請求項５】
外キャップ７Ｂが透明ないし半透明のプラスチック成形品で形成されており、
内外両キャップ７Ａ・７Ｂの間の隙間３５に装飾シート２２が配置してある請求項４記載の電気機器。
【請求項６】
外キャップ７Ｂが、前円弧面３０と後円弧面３１とを有する上すぼまり鞘状のキャップ体からなり、
装飾シート２２が、上嵌合部の突起３２に外嵌する位置決め部４３と、前円弧面３０および後円弧面３１に沿う、前シート部４１および後シート部４２とを一体に備えたシートで形成してある請求項５記載の電気機器。
【請求項７】
上嵌合部の突起３２が内キャップ７Ａに設けられており、
突起３２に装飾シート２２の位置決め部４３を差し込んだ状態で、装飾シート２２と内キャップ７Ａとを、外キャップ７Ｂに同時に組み付けることができる請求項５または６記載の電気機器。
【請求項８】
装飾シート２２を構成する前シート部４１と後シート部４２とが別シートとして形成されており、前後シート部４１・４２のそれぞれに位置決め部４３が設けてある請求項５、６または７記載の電気機器。
【請求項９】
装飾シート２２の表面に微少凹凸面４０が形成してある請求項５、６、７または８記載の電気機器。
【発明の詳細な説明】
【０００１】
【発明の属する技術分野】
本発明は、フェイスシェーバー、まつ毛カーラー、電動歯ブラシ、電動爪磨き機、シェーバー、ヘアードライヤーなど、ケース本体の一端にモーター動力を受けて作動する作動ヘッドが設けてある電気機器に関し、作動ヘッドの外面を覆う目的で使用されるキャップに特徴を有する。そのキャップは、作動部を構成する機器の保護や衛生状態の維持、あるいは作動部への塵埃の付着防止などを目的にして備えているものである。
【０００２】
【従来の技術】
例えばフェイスシェーバーにおいて、ケース本体に対して着脱可能なキャップを設け、このキャップでケース本体のヘッド部分に設けた刃ユニットを保護することは、特開平１０−２３５０３７号公報に公知である。そこでは、フェイスシェーバーの全体が、キャップ付きの口紅筆のように、細身で上下に長い棒状に構成されており、ケース本体は、内ケースと外ケースとで構成し、外ケースから突出する内ケースの装着部に、キャップを着脱できるようにしている。内ケースはプラスチック成形品からなり、外ケースとキャップとは、それぞれアルミニウム製の深絞り成形品からなる。
【０００３】
【発明が解決しようとする課題】
上記のように、主として女性が使用する電気機器においては、全体を化粧用具のように繊細で細身に仕上げることが望まれるが、小型化やコンパクト化、あるいは繊細で細身な外観上のデザインを追求する余り、往々にしてキャップやケース等の強度が犠牲にされることがある。先のフェイスシェーバーにおいては、全体をキャップ付きの口紅筆のように構成し、その外ケースとキャップとをアルミニウム製の深絞り成形品で形成しているが、とくにキャップの強度に限界がある。キャップの場合には、外ケースとは異なり、内ケースとの嵌合部を除く殆どの部分が内部の部材で支えられていない（刃ユニットから離れている）ため、キャップ自身の材料強度と構造強度のみで外力に対抗する以外にないからである。キャップの強度が不十分であると、僅かな外力でキャップが破損するのみならず、保護すべきであった作動部が破損することもある。
【０００４】
本発明の目的は、ケース本体側の作動ヘッドに被さるキャップの構造強度を向上し、以てキャップ自体の強度向上はもちろんのこと、作動部の保護などを確実に行える電気機器を提供することにある。本発明の目的は、見かけの印象やデザインが異なるキャップを幾種類でも低コストで供給でき、電気機器のシリーズ商品化が容易に行えるようにすることにある。本発明の目的は、キャップを構成する内外のケースのリサイクル使用が可能であり、表面に擦り傷や打ち傷等の表面疵がある場合にも、着色成形されたキャップと同様に表面疵が目立つのを防止でき、従ってキャップの美感や清潔感を長期間にわたって維持できるようにすることにある。
【０００５】
【課題を解決するための手段】
本発明は、図２に示すごとくケース本体１の一端にモーター動力を受けて作動する作動ヘッド３が設けてあって、作動ヘッド３の外面を覆うキャップ７がケース本体１の装着部１７に対して着脱自在に装着してある電気機器において、キャップ７が、作動ヘッド３の外面全体を覆う内キャップ７Ａと、内キャップ７Ａの外面を覆う外キャップ７Ｂとで２重筒状に構成してあり、内キャップ７Ａと外キャップ７Ｂとのそれぞれが、一端のみが開口された上下に長いキャップ体からなり、内キャップ７Ａと外キャップ７Ｂとは、上端の上嵌合部と下端の下嵌合部のみで互いに嵌係合されて、両嵌合部の間の周面が隙間３５を介して対向していることを特徴とする。
【０００６】
具体的には、内キャップ７Ａの内面と装着部１７との嵌合面に、互いに嵌係合してキャップの抜け外れを防ぐ係合構造を設ける。たとえば、図１に示すように、内キャップ７Ａに設けた係合穴２７と、ケース本体１の装着部１７の表面に設けた突起３６とで係合構造を構成する。
【０００８】
上記の下嵌合部は、内キャップ７Ａの開口外面に周回状に膨出したフランジ壁２５と、フランジ壁２５に外嵌する外キャップ７Ｂの開口内面壁３４とで構成し、フランジ壁２５に臨む外キャップ７Ｂの外周面に、開口内面壁３４用の補強リブ３３を膨出形成する。
【０００９】
上嵌合部は、内キャップ７Ａと外キャップ７Ｂとのいずれか一方に突設された突起３２と、他方に設けられた突起穴２８とで構成する。突起３２と突起穴２８とは、外キャップ７Ｂの内奥端において嵌係合できるように配置する。
【００１０】
外キャップ７Ｂは透明ないし半透明のプラスチック成形品で形成し、内外両キャップ７Ａ・７Ｂの間の隙間３５に装飾シート２２を配置する。
【００１１】
外キャップ７Ｂは、前円弧面３０と後円弧面３１とを有する上すぼまり鞘状のキャップ体からなる。装飾シート２２は、図７に示すごとく上嵌合部の突起３２に外嵌する位置決め部４３と、前円弧面３０および後円弧面３１に沿う、前シート部４１および後シート部４２とを一体に備えたシートで形成する。
【００１２】
上嵌合部の突起３２は内キャップ７Ａに設け、この突起３２に装飾シート２２の位置決め部４３を差し込んだ状態で、装飾シート２２と内キャップ７Ａとを外キャップ７Ｂに同時に組み付けできるようにする。
【００１３】
装飾シート２２を構成する前シート部４１と後シート部４２とは、図１０に示すごとく別シートとして形成し、前後シート部４１・４２のそれぞれに位置決め部４３を設ける。
【００１４】
装飾シート２２の表面に微少凹凸面４０を形成する。
【００１５】
【発明の作用効果】
本発明の電気機器においては、作動ヘッド３の外面を覆うキャップ７を、作動ヘッド３の外面全体を覆う内キャップ７Ａと、内キャップ７Ａの外面を覆う外キャップ７Ｂとで２重筒状に構成するので、単一の部材でキャップを構成する場合に比べて、キャップ７の強度が向上する。２重筒状に構成した内キャップ７Ａと外キャップ７Ｂとは、そのいずれかに外力が作用するとき、各キャップ７Ａ・７Ｂどうしが補強作用を発揮して、互いに相手方キャップに作用する外力を受け止め、あるいは分散させるので、外力を受けたキャップ７の変形や破損を防ぐことができるからである。また、内キャップ７Ａおよび外キャップ７Ｂを一端のみが開口された上下に長いキャップ体として形成すると、構造強度に無駄がなく、しかも全体の剛性に優れ、繊細で細身なキャップ７を得ることができる。また、内キャップ７Ａと外キャップ７Ｂとを上端の上嵌合部と下端の下嵌合部のみで互いに嵌係合して、両嵌合部の間の周面が隙間３５を介して対向しているキャップ７によれば、外キャップ７Ｂに落下衝撃や曲げ力等が作用する場合に、外キャップ７Ｂの周壁を撓み変形させて衝撃を吸収することができ、その分だけ内キャップ７Ａに衝撃力が作用するのが減少して、内キャップ７Ａで覆われた作動ヘッド３の保護機能をさらに強化できる。
【００１６】
内キャップ７Ａの内面と装着部１７との嵌合面に、互いに嵌係合してキャップの抜け外れを防ぐ係合構造を設けた電気機器によれば、例えば外キャップ７Ｂに落下衝撃が作用した場合に、キャップ７がケース本体１の装着部１７から簡単に抜け外れてしまうのをよく防止できる。従来構造のキャップと装着部との間、あるいは外キャップと装着部との間に先の係合部が設けてある場合には、キャップあるいは外キャップに作用する衝撃力が係合部に直接伝わるため、係合部における凹凸係合関係が分離解除されやすい。それに比べ、内キャップ７Ａの内面と装着部１７との嵌合面に係合構造を設けてあると、外キャップ７Ｂに作用する衝撃力は、内キャップ７Ａを介して係合構造部へ間接的に伝播せざるを得ず、その間に衝撃力が緩和吸収されるうえ、衝撃力の一部は外キャップ７Ｂで分散されるため、キャップ７が装着部１７から簡単に抜け外れてしまうのをよく防止できるからである。
【００１８】
下嵌合部が、内キャップ７Ａの開口外面に膨出形成したフランジ壁２５と、フランジ壁２５に外嵌する外キャップ７Ｂの開口内面壁３４とで構成され、フランジ壁２５に臨む外キャップ７Ｂの外周面に、開口内面壁３４の補強リブ３３が膨出形成されたキャップ７によれば、外力を受けた外キャップ７Ｂの開口周縁部の壁強度が向上し、開口周縁壁が撓み変形したり、あるいは破損するのをよく防止できるので、キャップ７の構造強度をさらに向上できるうえ、内キャップ７Ａの内面と装着部１７との間に設けた係合構造の分離阻止作用が向上し、キャップ７が装着部１７から抜け外れるのをよく防止できる。
【００１９】
上嵌合部が、内キャップ７Ａと外キャップ７Ｂとのいずれか一方に突設された突起３２と、他方に設けられた突起穴２８とで構成し、突起３２と突起穴２８とが、外キャップ７Ｂの内奥端において嵌係合するようにしたキャップ７によれば、内キャップ７Ａを外キャップ７Ｂの内面壁に沿って差し込み装填するだけで、とくに位置合わせを行う必要もなく突起３２と突起穴２８とを嵌係合でき、その分だけ内外のキャップ７Ａ・７Ｂの組み付けが簡単にしかも迅速に行える。とくに、内キャップ７Ａと外キャップ７Ｂとが、上すぼまり鞘状のキャップ体として形成されたキャップ７によれば、内キャップ７Ａを外キャップＢに差し込み装填する際に、内キャップ７Ａを外キャップ７Ｂの内面壁で案内して、突起３２と突起穴２８との位置合わせを自動的に行えるので、内外のキャップ７Ａ・７Ｂの組み付けをさらに簡単にしかも迅速に行える。
【００２０】
外キャップ７Ｂを透明ないし半透明のプラスチック成形品で形成し、内外両キャップ７Ａ・７Ｂ間の隙間３５に装飾シート２２を配置したキャップ７によれば、着色状態や模様が異なる装飾シート２２を複数種用意しておくことにより、装飾シート２２を変えるだけで、見かけの印象やデザインが異なるキャップ７を幾種類でも低コストで供給できる。内外両キャップ７Ａ・７Ｂのそれぞれを無着色のプラスチック材で成形する場合には、内外両キャップのそれぞれをリサイクル使用できる点で有利である。
【００２１】
前円弧面３０と後円弧面３１とを有する上すぼまり鞘状のキャップ体で形成した外キャップ７Ｂにおいては、装飾シート２２を外キャップ７Ｂの内面に沿って周回状に巻装配置することが難しい。しかし、装飾シート２２が、上嵌合部の突起３２に外嵌する位置決め部４３と、前円弧面３０および後円弧面３１に沿う、前シート部４１および後シート部４２とを一体に備えたシートで形成されていると、前および後の各シート部４１・４２をシート自体の弾性で外キャップ７Ｂの内面に沿って密着させることができるので、装飾シート２２の外キャップ７Ｂに対する組み付けを簡単にしかも速やかに行える。このとき、各シート部４１・４２の側縁は断面花弁形の前後円弧面３０・３１の交差部分に臨むが、シート側縁に僅かなずれを生じていたとしても、ずれが目立つのを防止して、外観上の体裁を維持できる。断面花弁形の筒体においては、両円弧面３０・３１の交差部の厚みが他より分厚くなるので、内面の交差線を光の加減で明確に見ることが難しく、例えば外キャップ７Ｂの背面中央にシート端部が位置させてあるような場合に比べて、シート端部の僅かなずれが見え難くなるからである。また、各シート部４１・４２が両円弧面３０・３１に沿って湾曲しているので、シート端部には交差部の側へ近付く向きの力が作用する傾向があり、そのためシート端部のずれを矯正できることにもなる。装填状態において、装飾シート７Ｂに皺ができたり、シート部側縁が前後に重なることもなく、キャップ７の外観上の体裁が向上する。
【００２２】
上嵌合部の突起３２を内キャップ７Ａに設けておき、突起３２に装飾シート２２の位置決め部４３を差し込んだ状態で、装飾シート２２と内キャップ７Ａとを外キャップ７Ｂに同時に組み付けるようにしたキャップ７によれば、装飾シート２２を内キャップ７Ａの外面に先組みし、曲がりやすい装飾シート２２を内キャップ７Ａで保形保持した状態で外キャップ７Ｂに組むことができるので、装飾シート２２と内外両キャップ７Ａ・７Ｂとの組み立てがさらに簡単に、しかもさらに迅速に行えることになる。
【００２３】
装飾シート２２の前シート部４１と後シート部４２とが別シートで形成してあるキャップ７によれば、色や模様が異なる前シート部４１と後シート部４２を複数種容易しておくことによって、前後両シート部４１・４２の組み合わせを多様に変更して、見かけの印象やデザインが異なるキャップをさらに多様に用意できる。この装飾シート２２の場合には、上嵌合部の突起３２が内キャップ７Ａに設けてあるキャップ構造を採ることにより、先に説明したように、前後の各シート部４１・４２を支障なく外キャップ７Ｂに組むことができる。
【００２４】
装飾シート２２の表面に微少凹凸面４０を形成すると、装飾シート２２の一部分が外キャップ７Ｂに密着して濡れたように見え、あるいはモアレ模様状に見えるのを解消し、キャップ７の外観上の印象が向上する。とくに、シート表面に金属、ガラス、あるいはプラスチックチップなどの微粒子を接着して微少凹凸面４０を形成すると、真珠表面のような鈍い光輝性を付加して高級感を醸し出すことができ、外キャップ７Ｂの表面に擦り傷や打ち傷等の表面疵を生じた場合にも、微少凹凸面４０が疵を見え難くして、疵が目立つのを防止できる。従ってキャップ７の美感や清潔感を長期間にわたって維持できる。外キャップ７Ｂの内面に微少凹凸面を形成する場合に比べて、加工が容易でコストが少なくて済むことにもなる。
【００２５】
【実施例】
図面は本発明をフェイスシェーバーのキャップに適用した実施例を示す。図２においてフェイスシェーバーは、上下に長いケース本体１を有し、その上半に作動ヘッド３を設け、下半のグリップ部の内部に、作動ヘッド３用の駆動機構とその動力源であるモーター４および電池５などを配置してなる。ケース本体１の前面中央には、モーター４への通電をオン・オフするスイッチノブ６を有し、このスイッチノブ６を待機位置から上方へスライド操作すると、モーター４を起動できる。符号７は作動ヘッド３を保護するためのキャップであり、キャップ７はケース本体１に対して着脱可能に装着される。
【００２６】
図３ないし図５において作動ヘッド３は、装着面が開口するケース８と、ケース８に固定される固定刃９、および駆動機構で往復駆動される可動刃１０などで、１個のユニット部品として構成してある。図４において作動ヘッド３は、うぶ毛用のユニットとまゆ毛用のユニットとがあり、両者をケース本体１に対して交換装着できる。図６において駆動機構は、モーター４の出力軸に固定した原動ギヤ１１と、原動ギヤ１１の回転動力を受け継ぐフェースギヤ１２と、フェースギヤ１２でクランクピン１３を介して上下方向へ往復駆動される駆動アーム１４とからなる。駆動アーム１４の先端は、可動刃１０の下端に設けた駆動ピースに差し込み連結してある。
【００２７】
図３においてケース本体１は、内ケース１Ａと、主としてグリップ部を構成する外ケース１Ｂとで内外二重に構成し、両ケース１Ａ・１Ｂの間に装飾シート１６が装填される。着色状態や模様が異なる装飾シート１６を複数種用意しておくことにより、装飾シート１６を変えるだけで、色や模様等の見かけの印象やデザインが異なるケース本体１を幾種類でも低コストで供給できる。外ケース１Ｂより上側に突出する内ケース１Ａの上半部分、即ち装着部１７に先のキャップ７が外嵌装着される（図５参照）。外ケース１Ｂの下側から突出する内ケース１Ａの下端には、電池キャップ１８を着脱可能に装着する。作動ヘッド３は、内ケース１Ａの上部背面に着脱可能に装着され、内ケース１Ａに設けたロックボタン１９で分離不能にロック保持される。内ケース１Ａは、前後に分割された前ケース２０ａと後ケース２０ｂとを蓋合わせ状に接合して構成する。外ケース１Ｂは、断面木の葉形で上すぼまり状の筒状体からなり、乳白状の半透明のプラスチック材を素材にして成形する。
【００２８】
図７においてキャップ７は、作動ヘッド３の外面全体を覆う内キャップ７Ａと、内キャップ７Ａに外嵌する外キャップ７Ｂとで二重筒状に構成してあり、両キャップ７Ａ・７Ｂの間に装飾シート２２を配置して構成する。
【００２９】
内キャップ７Ａは下端が開口する、上下に長い上すぼまり鞘状の無着色のプラスチック成形品からなる。詳しくは、前後一対の部分円弧状の面壁、即ち前円弧面２３と後円弧面２４とを、図１に示すように上すぼまり状に対向配置して断面花弁形とし、さらにキャップ上端寄りの周縁を放物線状に丸めて形成する。キャップ下端の開口縁は正面からみて下凸円弧状に形成してあり（図２参照）、この開口縁の外面に沿ってフランジ壁２５を周回状に膨出形成する。前円弧面２３と後円弧面２４の下端中央には、ロックボタン１９との干渉を避ける上下に長い逃げ溝２６がそれぞれ通設され、その右横に係合穴２７が通設される。キャップ上端には、突起穴２８が通設してある。係合穴２７および突起穴２８の機能は後述する。
【００３０】
外キャップ７Ｂは、内キャップ７Ａとほぼ同様のキャップ構造とするが、透明なポリカーボネイトを素材にして射出成形してある点と、その上下長が内キャップ７Ａより長く、前円弧面３０と後円弧面３１が内キャップ７Ａのそれより一回り大きく形成してある点などが異なる。外キャップ７Ｂの内面形状は、内キャップ７Ａの外郭形状にほぼ一致させてあり、内面上端に先の突起穴２８と係合する突起３２を下向きに突設する。キャップ下端の開口縁は、内キャップ７Ａと同様に正面からみて下凸円弧状に形成してあり、この開口縁の外面に沿って、開口内面壁３４を補強するための補強リブ３３が周回状に膨出形成されている。キャップ下端の開口内面壁３４は、内キャップ７Ａに設けたフランジ壁２５に外嵌して、両キャップ７Ａ・７Ｂ間に僅かな隙間３５を確保する（図１参照）。キャップ上端と、内キャップ内面の上縁との間は、透明な肉壁になっていて、後述する装飾シート２２の呈色状態と相まってキャップの高級感を醸し出すのに役立っている。
【００３１】
内キャップ７Ａは外キャップ７Ｂの内面に差し込み装填するが、この組み付け状態を維持し、内キャップ７Ａが外キャップ７Ｂから脱落するのを防止するために、両キャップを上端の上嵌合部と下端の下嵌合部とで嵌係合する。上嵌合部は、先に説明した互いに圧嵌係合する突起３２と突起穴２８とで構成し、下嵌合部は互いに圧嵌係合するフランジ壁２５と開口内面壁３４とで構成する。キャップ７は、ケース本体１の装着部１７に装着され、両者７・１７間に設けた係合構造で抜け止め保持される。この係合構造は、内キャップ７Ａの係合穴２７と、装着部１７の表面に突設した突起３６とで構成する（図２および図８参照）。
【００３２】
装飾シート２２は金属、ガラス、あるいはプラスチックチップなどの微粒子が混入された蛍光インクを用いて着色されたポリカーボネイト製のシートからなり、微粒子を混入することにより、シート表面に微少凹凸面４０が形成される。微少凹凸面４０は、シート表面が外キャップ７Ｂの内面に密着するのを防ぎ、さらに真珠表面のような鈍い光輝性を付加して高級感を醸し出すことに役立つ。図７および図９において装飾シート２２は、外キャップ７Ｂの前円弧面３０と後円弧面３１の内面に沿う、それぞれ烏帽子形の前シート部４１および後シート部４２と、両者間に設けられる位置決め部４３とを一体に打ち抜いて形成する。位置決め部４３には、先の突起３２が入り込む穴４４が通設してある。着色状態や模様が異なる装飾シート２２を複数種用意しておくことにより、装飾シート２２を変えるだけで、色や模様等の見かけの印象やデザインが異なるキャップ７を幾種類でも低コストで供給できる。
【００３３】
キャップ７を組み立てる際には、装飾シート２２の前後シート部４１・４２を、内キャップ７Ａの前後面に振り分け状に被せ付けたうえで、内キャップ７Ａを外キャップ７Ｂの内面に差し込む。このとき、内キャップ７Ａの差込始端側は外キャップ７Ｂの内面に沿って案内されるので、単に内キャップ７Ａ差し込むだけで突起穴２８を突起３２に係合させることができる。内キャップ７Ａを最後まで完全に差し込むと、突起３２が突起穴２８に圧嵌係合し、さらにフランジ壁２５が開口内面壁３４と圧嵌係合する。従って、落下衝撃を受けるような場合にも、両キャップ７Ａ・７Ｂが分離することはない。内キャップ７Ａを差し込むとき、それまで扁平であった装飾シート２２は、外キャップ７Ｂの内面壁に沿って徐々に湾曲し、シート自体の弾性で外キャップ７Ｂの内面に密着する。各シート部４１・４２の側縁は、断面花弁形の前後円弧面３０・３１の交差部分に沿って密着する。従って、装飾シート２２の外キャップ７Ｂに対する組み付けが簡単にしかも速やかに行え、装填状態において装飾シート２２に皺ができたり、シート部側縁が前後に重なることもなく、キャップの外観上の体裁が向上する。
【００３４】
図１０は、装飾シート２２の別実施例を示す。そこでは、装飾シート２２の前シート部４１と後シート部４２とをそれぞれ別シートで形成し、各シート４１・４２に位置決め部４３を設けた。この場合には、内キャップ７Ａの上端に突起３２を設けておくことにより、各シート４１・４２の位置決め部４３を突起３２に掛止した状態で、装飾シート２２を内キャップ７Ａとともに外キャップ７Ｂに組み付けることができる。先の実施例における装飾シート２２も同様にして組み付けることができる。
【００３５】
図１１は、装飾シート２２のさらに別の実施例を示す。そこでは、シート全体を連続波形に癖付けされた波形シートで形成し、装飾シート２２自体にクッション性を与えることによって、衝撃緩和作用を向上できるようにした。詳しくは、シートの長手方向に沿う波形の癖付け部４６を幅方向へ連続して形成し、外キャップ７Ｂに作用する衝撃を、装飾シート２２が弾性変形することで吸収できるようにし、その分だけ内キャップ７Ａへ伝播しようとする衝撃力を緩和吸収できるようにした。この場合のシート素材は、ポリカーボネイトなどの強弾性シートが好ましく、癖付け部４６の隣接ピッチは、数未満であることが好ましい。なお、内外の両キャップ７Ａ・７Ｂの間に装填した状態の装飾シート２２は、僅かに押し潰されて弾性力を発揮する。そのため、外キャップ７Ｂは装飾シート２２の弾性力でバックアップされ、外キャップ７Ｂに作用する衝撃力に対して、より強い耐衝撃作用を発揮できる事となる。従って、波形シートで形成した装飾シート２２によれば、キャップ７の構造強度と靭性とを向上して、作動ヘッド３の保護をさらに確実に行える。
【００３６】
上記の実施例以外に、外キャップは半透明のプラスチック材で形成することができる。微少凹凸面４４は、装飾シート１９の表面にサンドブラストを施して形成でき、あるいは外キャップ７Ｂの内面を梨地面とすることで形成できる。装飾シート２２は、予め着色印刷されたポリカーボネイト製のシートの表面に、金属、ガラス、あるいはプラスチックチップなどの微粒子を接着して形成でき、この場合には、微粒子が混入された蛍光インクを印刷して装飾シートとする場合に比べて、シート表面の鈍い光輝性を真珠表面の光輝状態にさらに近づけることができる。キャップ７は作動ヘッド３の保護以外に、衛生状態の維持あるいは塵埃を遮断する目的で使用するキャップであってもよい。キャップ７を抜け止め保持するための係合構造は、実施例で説明した構造とは逆に、内キャップ７Ａに設けた突起と、装着部１７に形成した係合穴とで構成することができる。内キャップ７Ａおよび外キャップ７Ｂは、それぞれの筒壁が周回方向に連続している必要はなく、例えば断面Ｃ字形の筒体であってもよい。本発明は、電気機器に限らずボールペンや万年筆等の筆記具にも適用できる。この場合、ケース本体１内にインクを、その先端にペン先を設け、このペン先を保護するキャップに本発明を適用することにより、上記の実施例と同様な効果が得られる。
【図面の簡単な説明】
【図１】作動ヘッド部の縦断側面図である。
【図２】キャップを外した状態での正面図である。
【図３】内部構造の分解断面図である。
【図４】刃ユニットを分解した状態での背面図である。
【図５】キャップを装着した状態での縦断側面図である。
【図６】作動ヘッドとその駆動機構とを示す内部正面図である。
【図７】キャップの分解斜視図である。
【図８】キャップと装着部の係合構造を示す断面図である。
【図９】装飾シートの展開平面図である。
【図１０】装飾シートの別実施例を示す分解斜視図および展開平面図である。
【図１１】装飾シートのさらに別の実施例を示す展開平面図である。
【符号の説明】
１  ケース体
７  キャップ
７Ａ  内キャップ
７Ｂ  外キャップ
１７  装着部
２２  装飾シート
２５  フランジ壁
２７  係合穴
２８  突起穴
３２  突起
３４  開口内面壁
３５  隙間
４０  微少凹凸面
【図１】
0004674737.tif 000002
【図２】
0004674737.tif 000003
【図３】
0004674737.tif 000004
【図４】
0004674737.tif 000005
【図５】
0004674737.tif 000006
【図６】
0004674737.tif 000007
【図７】
0004674737.tif 000008
【図８】
0004674737.tif 000009
【図９】
0004674737.tif 000010
【図１０】
0004674737.tif 000011
【図１１】
0004674737.tif 000012